(57)【特許請求の範囲】
【請求項１】
第１の属性を有する信号と第２の属性を有する信号が混在して記録してある第１の記録媒体の内容を第２の記録媒体にコピー又は編集する情報信号表示装置であって、
前記第１の記録媒体に記録されている信号が第１の属性を有することを判別する判別手段と、
前記判別手段で判別された第１の属性に対応して、前記第１の記録媒体から信号を再生する再生手段と、
前記判別手段で判別された第１の属性に対応した前記再生手段の再生状況を表示する第１の表示手段と、
前記判別手段で判別された第１の属性であるときに、前記再生手段からの所定区間の信号を、第２の属性にして前記第２の記録媒体における所定の区間に記録すると共に、第２の属性に変更したことを識別する識別信号を記録する記録手段と、
前記第２の属性に対応した記録状況を表示する第２の表示手段と、
を備えたことを特徴とする情報信号表示装置。
【請求項２】
前記第１又は第２の記録媒体は、テープ状磁気記録媒体であること
を特徴とする請求項１に記載の情報信号表示装置。
【請求項３】
前記第１の属性はデジタル記録方式で前記第２の属性はアナログ記録方式であること
を特徴とする請求項１に記載の情報信号表示装置。
【請求項４】
前記第１の属性又は前記第２の属性の判別は、デジタル記録方式である場合に、音声記録信号のチャンネル数又はサンプリング周波数又は量子化ビット数に基づいて遂行すること
を特徴とする請求項１に記載の情報信号表示装置。
【請求項５】
前記第１の属性又は前記第２の属性の判別は、デジタル記録方式である場合に、記録変調方式に基づいて遂行すること
を特徴とする請求項１に記載の情報信号表示装置。
【請求項６】
前記第１の属性又は前記第２の属性の判別は、前記第１の記録媒体又は前記第２の記録媒体に記録されている信号の記録レート又は伝送レートに基づいて遂行すること
を特徴とする請求項１に記載の情報信号表示装置。
【請求項７】
前記第１の属性又は前記第２の属性の判別は、前記第１の記録媒体又は前記第２の記録媒体に記録されている信号の所定区間の区切りを識別して遂行すること
を特徴とする請求項１に記載の情報信号表示装置。
【発明の詳細な説明】
【０００１】
【発明の属する技術分野】
本発明は、情報信号表示装置及び情報信号表示方法並びに動作状態表示装置に関するものであり、特に、属性が異なる信号が混在する記録媒体において、その信号を容易に再生／記録又は編集することができる情報信号表示装置に関する。
【０００２】
【従来の技術】
従来技術において、テレビ放送等を記録する家庭用のビデオテープレコーダ（以下、ＶＴＲと云う）では、８ｍｍ方式やＶＨＳ（Ｖｉｄｅｏ  Ｈｏｍｅ  Ｓｙｓｔｅｍ）方式等のアナログ記録方式のＶＴＲが一般に広く普及している。
テレビ放送も従来のアナログ放送の他に広くデジタル放送が行われようとしており、これらの放送を記録するために家庭用ＶＴＲもデジタル記録方式のＶＴＲが普及し始めようとしている。
【０００３】
デジタル記録方式のＶＴＲの普及に伴い、広く普及しているアナログ記録方式ＶＴＲで使用する磁気テープの有効活用が考えられた。そこで、従来の磁気テープに、アナログ信号の他にデジタル信号が記録できるＤ−ＶＨＳ方式やデジタルハイ８方式等を用いたデジタル記録方式のＶＴＲが開発された。これらのデジタル記録方式ＶＴＲは、従来のアナログ記録方式ＶＴＲとテープ走行等を行う機構系が共通に使用できることや、磁気テープの性能改善等により、従来の８ｍｍ方式やＶＨＳ方式等で使用する磁気テープで記録再生が可能である。従って、従来からの磁気テープにアナログ信号とデジタル信号の両方が記録できるため、一つの磁気テープに属性の異なる信号が混在して記録可能となる。
【０００４】
【発明が解決しようとする課題】
しかしながら、アナログ信号とデジタル信号とが混在して記録された磁気テープを、従来の８ｍｍ方式やＶＨＳ方式等のアナログ記録方式で記録された磁気テープだけに対応するＶＴＲで再生する場合、例えば、アナログ記録信号再生の途中でデジタル記録信号部分になった時、その部分は再生できないので再生画像や音声が途中で途切れてしまうという問題がある。
【０００５】
このように、１つの記録媒体に属性の異なる信号が混在して記録してあると、再生が頻繁に行われず、ユーザは大変に煩わしさを感じることになる。その為、記録媒体を記録信号の属性別に分けて使用している場合などは、その種類が増えて管理が面倒であり、しかも誤って別の種類の信号を記録してしまうことも考えられる。
【０００６】
又、コピー記録や編集記録の際には、様々な記録再生方式が存在するので、その方式を考えながら作業を行なうことになる。このような場合に、従来の装置では、現在の記録再生動作の状態や、これまでの記録再生動作の過程を効果的にモニタすることができないため大変煩雑な作業となる。
【０００７】
従って、複数の属性が混在して記録しうる記録媒体を記録再生する様な場合に、その動作状況をその属性に応じてユーザが容易に知ることができるようにすることに解決しなければならない課題を有する。
【０００８】
【課題を解決するための手段】
前記課題を解決するために、本発明に係る情報信号表示装置は、第１の属性を有する信号と第２の属性を有する信号が混在して記録してある第１の記録媒体の内容を第２の記録媒体にコピー又は編集する情報信号表示装置であって、前記第１の記録媒体に記録されている信号が第１の属性を有することを判別する判別手段と、前記判別手段で判別された第１の属性に対応して、前記第１の記録媒体から信号を再生する再生手段と、前記判別手段で判別された第１の属性に対応した前記再生手段の再生状況を表示する第１の表示手段と、
前記判別手段で判別された第１の属性であるときに、前記再生手段からの所定区間の信号を、第２の属性にして前記第２の記録媒体における所定の区間に記録すると共に、第２の属性に変更したことを識別する識別信号を記録する記録手段と、前記第２の属性に対応した記録状況を表示する第２の表示手段と、を備えたことを特徴とする情報信号表示装置。
【００１２】
このように、例えば、アナログ記録方式とデジタル記録方式等のように属性が異なる信号が混在する磁気テープ等の記録媒体で、記録された映像や音声信号を再生する場合や、別の記録媒体にコピー記録又は編集記録を行う場合に、再生又は記録の状態をユーザが容易に知ることができ、動作状態を把握した操作ができると共に、効率の良い動作を実現できるようになる。
【００１３】
【発明の実施の形態】
次に、本発明に係る情報信号表示装置の実施の形態について図面を参照して、以下の項目に従って説明する。
【００１４】
［１］本発明の全体構成を示すブロック構成例
［２］本発明の動作フローチャートによる全体構成の動作説明
［３］記録方式の判別構成例
［４］各種編集記録方法
［５］表示方法
［６］本発明の第１の変形実施例
［７］本発明の第２の変形実施例
［８］本発明の第３の変形実施例
［９］本発明の第４の変形実施例
【００１５】
［１］  本発明の全体構成を示すブロック構成例
本発明に係る情報信号表示装置は、図１に示すように、磁気テープを再生する再生部１０と、その再生された信号を磁気テープに記録するための記録部８０と、外部からの入出力及び各部の制御を行うシステムコントロール部４０と、各種設定を指示するユーザ入力部３０と、各部の警報を検出する警告部６０と、各部の動作状況等を表示する表示部７０とにより構成されている。
【００１６】
再生部１０は、装着された磁気テープの記録方式を検出し、システムコントロール部４０に伝えるカセット検出部１１と、システムコントロール部４０の指示により磁気テープのフォワード及びリワインドを行うリールモータ部１２と、システムコントロール部４０の指示により磁気テープの走行調整を行うキャプスタン部１３と、磁気テープのコントロール信号を抽出するためのＣＴＬ部１４と、磁気テープに信号を記録及びその信号を再生するテープ／ヘッド部１５と、再生信号を所定のレベルまで増幅する再生アンプ部１６と、増幅された再生信号の属性等を判別して、その結果をシステムコントロール部４０へ伝える判別部１７と、増幅された再生信号をシステムコントロール部４０の指示に従い、所定の属性の処理部に送るための切換えを行う切換スイッチＳＷ１８と、アナログ再生信号からビデオ信号の所定のＹ／Ｃ信号処理や所定のＡＦＭ音声信号処理等を行うアナログ再生処理部１９と、デジタル再生信号の再生等化処理、誤り訂正処理、ＭＰＥＧデコード等の所定の処理が行うデジタル再生処理部２０から構成されている。
【００１７】
ユーザ入力部３０は、コピー記録／編集記録の記録方式やその優先順位、記録する信号属性の指示等の設定情報を入力する。
【００１８】
システムコントロール部４０は、カセット検出部１１や判別部１７からの情報やユーザ入力部３０の設定情報に応じて、表示部７０や各切換スイッチ１８、５１、５２に所定の指示を行ったり、リールモーター部１２及びキャプスタン部１３をコントロールして、テープ走行の制御を行う。
【００１９】
切換ＳＷ５１及び５２は、再生処理された信号をシステムコントロール部４０の指示に従い、所定の属性の処理部８１、８２に送るための切換えを行う。
【００２０】
警告部６０は、システムコントロール部４０を介して、装置の各部の警告を検出する。
【００２１】
表示部７０は、システムコントロール部４０を介して、設定情報や装置各部の動作状況及び警報等を表示する。
【００２２】
記録部８０は、再生処理された信号から、アナログ記録方式で記録するためにビデオ信号と音声信号を所定のＹ／Ｃ信号処理及びＡＦＭ音声記録信号処理等を行うアナログ記録処理部８１と、再生処理された信号からデジタル記録方式で記録するために、映像音声信号のＭＰＥＧエンコードや誤り訂正符号付加等の所定の信号処理が行うデジタル記録処理部８２と、記録処理された信号をシステムコントロール部４０の指示に従い、記録アンプ部８４へ送るために切換えを行う切換ＳＷ８３と、切換ＳＷ８３を介して送られてきた記録処理された信号を所定の記録電流にする処理や記録等化処理等を行う記録アンプ部８４と、記録アンプ部８４で処理された信号を所定の記録モード、記録方式によりコピー記録／編集記録するテープ／ヘッド部８５と、装着された磁気テープの記録方式を検出してシステムコントロール部４０に伝えるカセット検出部８６と、システムコントロール部４０の指示により、磁気テープのフォワード及びリワインドを行うリールモーター部８７と、システムコントロール部４０の指示により磁気テープの走行調整を行うキャプスタン部８８とから構成されている。
【００２３】
［２］本発明の動作フローチャートによる全体構成の動作説明
前記説明した構成からなる情報信号表示装置において、記録媒体はアナログ記録方式によるデータとデジタル記録方式によるデータとが混在している磁気テープであってもどちらかの属性を優先させて編集記録を行うことができる。以下、図２に示すフローチャートを参照してその動作を説明する。
【００２４】
先ず、処理ループの回数を管理するためにカウンタの初期値ｎをゼロに設定する（ステップＳＴ１１）。
【００２５】
次に、記録部８０は磁気テープの特性を検出し、記録部８０の磁気テープがデジタル記録方式で記録できる特性であるか否かを判別する。デジタル記録方式で記録できる磁気テープの場合は次の処理へ移行する（ステップＳＴ１２、ＳＴ１３）。
【００２６】
デジタル記録方式で記録できない磁気テープの場合は、表示部７０に”ワーニング”を表示してユーザにアナログ記録方式でしか記録できないことを知らせる（ステップＳＴ１３、ＳＴ１４）。ユーザがその磁気テープを交換するか否かを判断する。交換しない場合は、次の処理へ移行する。交換した場合は、前記同様に磁気テープの特性検出の処理を繰り返す（ステップＳＴ１５）。
【００２７】
次の処理では、再生部１０と記録部８０の磁気テープをテープエンドまでフォワードさせる（ステップＳＴ１６、ＳＴ１７）。
【００２８】
続いて、再生部１０と記録部８０の磁気テープをテープエンドからテープトップまでリワインド走行させて、その磁気テープが何分の記録用テープであるかを計測して、その計測結果を表示する（ステップＳＴ１８、ＳＴ１９、ＳＴ２０）。
【００２９】
次に、再生部１０は磁気テープの再生を始める（ステップＳＴ２１）。続いて、ユーザ設定情報からの記録方式を検出し、表示部７０は、その動作モード等を表示し、続いて、ユーザが予め設定した優先記録方式を判別する（ステップＳＴ２２、ＳＴ２３）。
【００３０】
デジタル記録方式が優先であると判定された場合、逐次再生される再生信号の属性を検出する（ステップＳＴ２４）。
【００３１】
再生信号がデジタル記録方式の記録であると判別された場合、デジタル再生処理を行い、表示部７０にその動作状態を表示する（ステップＳＴ２５、ＳＴ２６）。
【００３２】
記録部８０は、以前に検出した記録部８０の磁気テープの記録方式の特性に従い、デジタル記録方式による記録若しくはアナログ記録方式による記録を行い、表示部７０にその動作状況を表示する（ステップＳＴ２７、ＳＴ２８、ＳＴ２９）。
【００３３】
再生信号がアナログ記録方式による記録であると判別された場合、再生部１０は磁気テープをデジタル記録区間が検出するまでフォワードする。これらの処理をテープエンドになるまで繰り返す（ステップＳＴ３０、ＳＴ３１）。
【００３４】
テープエンドが検出されたら、処理ループのカウンタｎを１つ増加させ、その処理回数を判別する。ｎ＝１であれば、再生部１０の磁気テープのデジタル記録されている区間の処理が終了したことを示しており、次にその磁気テープのアナログ記録されている区間の処理に移行し、アナログ記録区間でも同様の処理を行う。ｎ＝２であれば、再生部１０の磁気テープのデジタル／アナログ記録両区間の編集記録がすべて完了となる（ステップＳＴ３２、ＳＴ３３）。
【００３５】
アナログ記録方式が優先であると判定された場合、逐次再生される再生信号の属性を検出する（ステップＳＴ３４）。
【００３６】
再生信号がアナログ記録方式の記録であると判別された場合、アナログ再生処理を行い、表示部７０はその動作状態を表示する（ステップＳＴ３５、ＳＴ３６）。
【００３７】
記録部８０は、以前に検出した記録部８０の磁気テープの記録方式の特性に従い、アナログ記録を行い、表示部７０にその動作状況を表示する（ステップＳＴ３７）。
【００３８】
再生信号がデジタル記録方式の記録であると判別された場合、再生部１０は磁気テープをアナログ記録区間が検出するまでフォワードする。これらの処理をテープエンドになるまで繰り返す（ステップＳＴ３８、ＳＴ３９）。
【００３９】
テープエンドが検出されたら、処理ループのカウンタｎを１つ増加させ、その処理回数を判別する。ｎ＝１であれば、再生部１０の磁気テープのアナログ記録方式で記録されている区間の処理が終了したことを示しており、次にその磁気テープのデジタル記録されている区間の処理に移行し、デジタル記録区間でも同様の処理を行う。ｎ＝２であれば、再生部１０の磁気テープのデジタル／アナログ両区間の編集記録がすべて完了となる。最後に、表示部７０に編集記録が完了したことを表示する（ステップＳＴ４０、ＳＴ４１）。
【００４０】
このように属性が混在して記録されている磁気テープの場合、例えば、アナログ記録区間を続けて再生するように設定されていた時は、所定のアナログ記録区間が再生されたら、次のアナログ記録区間の先頭までリールモーター部１２又はキャプスタン部１３をシステムコントロール部４０からの制御により、再生側磁気テープをフォワード走行する。そして、所定の先頭まできたら再生の始めから正しく記録できるようにキャプスタン部１３をわずかながら逆走行させるように制御する。一方、記録部８０の磁気テープは、次の再生部１０が再生区間をサーチ中の間、記録部８０のキャプスタン部８８のキャプスタンをシステムコントロール部４０の指示により一時停止させている。
【００４１】
信号の属性を判別するために、システムコントロール部４０では、例えば、信号がデジタル記録方式の記録の場合には、デジタル再生処理部２０からの再生信号より、その信号のヘッダ部にある識別データからプログラム番号等を検出して、所定再生及び記録区間の区切りを認識する。ＣＴＬ信号に識別データが埋め込まれている場合は、その信号を検出することで、アナログ記録信号／デジタル記録信号共に所定記録区間の区切りを認識して検出することができる。もし、再生信号中の識別信号を検出し、コピーライトが不可の時には、デジタル記録処理部８１をアナログ記録処理部８２に変更してコピー記録や編集記録が行うように、切換スイッチＳＷ５１、ＳＷ５２に切換え指示を出すと共に表示部７０へ警告を出すように指示する。
【００４２】
ここで、デジタル記録方式による記録を行う場合、デジタル記録処理部８２による映像音声信号処理を、同じＶＴＲ方式の時（Ｄ−ＶＨＳ同士、デジタルハイ８同士）は、再生時における所定の誤り訂正信号処理だけを行い、ＭＰＥＧ等のエンコードやデコード処理をバイパスしてコピー記録／編集記録を行うこともできる。また、所定の識別データ領域にデジタル記録の回数を記録することで、その回数制限や不正なデジタル記録の防止等を行うことができ、再生側磁気テープから記録順序を変えてコピー記録／編集記録を行った場合は、その情報データ等を記録しても良い。
【００４３】
前記のような記録再生過程において、表示部７０は、システムコントロール部４０からの信号により、記録方式の判別結果に応じて、例えば、記録方式により表示色を変えたり、動作状態を点灯／点滅で表示したり、また、動作モード表示、記録および再生等の動作過程の時間表示、再生／記録をどちらの磁気テープが行っているか等も表示してユーザが容易に判別できるようにする。
【００４４】
［３］記録方式の判別構成例
次に、上述した構成からなる情報信号表示装置における記録方式の判別方法について説明する。
【００４５】
まず、磁気テープの種類の判別方法について、ＶＨＳ方式の場合を例として説明する。尚、８ｍｍ方式等のＶＴＲでも同様に行うことができることは勿論のことである。
【００４６】
ＶＨＳの各種類の判別方法は、図３に示すように、磁気テープ本体に設けられている識別用のホール（穴）によって判別することができる。ＶＨＳ方式磁気テープの種類別による許容記録モードは下記の表１に示す通りである。ここで、Ｓ−ＶＨＳもデジタル記録を行えるが、通常ＶＨＳテープはアナログ記録だけを行うことにする。
【００４７】
【表１】
0004174924.tif 000002
【００４８】
これらの判別結果により、Ｓ−ＶＨＳテープを使用した場合、デジタル放送等のデジタル信号を記録する時は、Ｄ−ＶＨＳテープと同様に自動的にデジタル記録方式による記録を行うようにしても良い。
【００４９】
次に、これらの磁気テープに記録されている信号の属性を判別する判別手段について説明する。
前記のように、記録した信号の属性がアナログ記録方式又はデジタル記録方式かを判別する場合、各々の信号の属性では周波数帯域が異なること、又は、ＶＴＲのテープスピードがアナログ記録方式（ＶＨＳ）とデジタル記録方式（Ｄ−ＶＨＳ）では異なることからＣＴＬ信号の周期を計測する等の手法で判別できる。
【００５０】
又、テープスピードが同じ場合でも信号の属性を判別する方法として、Ｄ−ＶＨＳ方式を例として説明する。ここでＤ−ＶＴＲ方式の各記録モードの概要を下記の表２に示す。
【００５１】
【表２】
0004174924.tif 000003
【００５２】
前記表から、Ｄ−ＶＨＳのＨＳモードでのスピードと、ＶＨＳ方式対応速度モードのＳＰモードとのスピードが同じとなるが、ＳＰモードのトラック幅は５８μｍなのでＣＴＬ信号の周期を計測することで判別ができる。同様に、Ｄ−ＶＨＳのＳＴＤモードについては、ＶＨＳ方式対応速度モードのＬＰモードと同じスピードとなるが、基本的にＮＴＳＣ方式の放送信号ではＳＰとＥＰが規定されているので、この場合もＣＴＬ信号を計測することで判別できる。例えば、特開平８−２４９７５８３号公報には、ＳＰモード、ＥＰモードの場合アナログ記録方式の可能性が高く、ＬＰモードの場合はデジタル記録方式の可能性が高いこと等の技術が開示されている。
【００５３】
また、ＶＨＳ方式のオーディオＡＦＭ記録方式による記録とＤ−ＶＨＳ記録方式による記録は共にアジマス±３０度のへッドで行なうが、再生信号の周波数スペクトルは、図４に示すように、１．３ＭＨｚ近傍から上昇し、４．７８ＭＨｚ近傍を頂点とするなだらかなカーブを描き、９．５８ＭＨｚ近傍で終結する。このような特性を有する再生信号は、バンドパスフィルタ（ＢＰＦ）又はローパスフィルタ（ＬＰＦ）及びハイパスフィルタ（ＨＰＦ）によって、その属性を判別することができる。
【００５４】
具体的なフィルタによる判別部の構成は、図５に示すように、アナログ信号のＡＦＭヘッド再生信号は、第１のフィルタ（バンドパスフィルタＢＰＦ）を介して、第１の検波器で検出した信号を、基準電圧と比較する第１のコンパレータに入力し、その出力信号をシステムコントロール部４０に送る。ビデオヘッド再生信号は、第２のフィルタ（バンドパスフィルタＢＰＦ）を介して、第２の検波器で検出した信号を、基準電圧と比較する第２のコンパレータに入力し、その出力信号をシステムコントロール部４０に送る。Ｄ−ＶＨＳヘッド信号は、第３のフィルタ（バンドパスフィルタＢＰＦ）を介して、第３の検波器で検出した信号を、基準電圧と比較する第３のコンパレータに入力し、その出力信号をシステムコントロール部４０に送る。
【００５５】
このように、アナログ記録方式の磁気テープでも映像信号とＡＦＭ音声信号が共に記録されているとは限らないので、映像信号とＡＦＭ音声信号の両方を検出するようになっている。
【００５６】
次に、このような構成からなる判別部の動作について説明する。再生信号の周波数スペクトルは、図４に示すようにＡＦＭ信号は１．３ＭＨｚと１．７ＭＨｚにキャリア信号がある。従って、第１のフィルタの通過帯域は、おおよそ０．５〜２．５ＭＨｚ程度のバンドパスフィルタ（ＢＰＦ）、若しくは、２．５ＭＨｚ程度のローパスフィルタ（ＬＰＦ）により信号をフィルタ処理し、第１の検波器で検波処理して第１のコンパレータで所定基準値以上の信号が検出できる。
【００５７】
もし、デジタル記録方式による記録がなされていた場合は、図４に示す帯域にはデジタル記録方式によるスペクトルが存在するので、デジタル信号のパワースペクトルが最も大きいと思われる通過帯域４〜５ＭＨｚのバンドパスフィルタ（ＢＰＦ）若しくはおおよそ４ＭＨｚ以上のハイパスフィルタ（ＨＰＦ）の第３のフィルタにより信号を検出できる。
【００５８】
同様に第２のフィルタにより映像信号を検出できるが、映像信号の場合はオーディオ信号のＡＦＭ信号やＤ−ＶＨＳデジタル信号とはアジマス角が異なる±６度の磁気へッドにより記録されているのでデジタル記録されていたとしても、このへッドで再生されることによる検出成分はあまり大きくない。以上、３つの第１〜第３のフィルタからの検出出力により、再生信号の属性を判別することができる。
【００５９】
［４］各種編集記録方法
次に、本発明を適用して、デジタル記録方式による記録とアナログ記録方式による記録の混在等のように、異なる記録方式が混在した記録媒体を編集／コピー記録する場合の編集記録方法を、図を用いて説明する。
【００６０】
先ず始めに、ＶＨＳとＶＨＳのダブルデッキや８ｍｍと８ｍｍのダブルデッキ等のように、同種のＶＴＲ方式を磁気テープの編集／コピー記録に適用した場合は、下記に示す表３の組合せ例がある。
【００６１】
【表３】
0004174924.tif 000004
【００６２】
又、ＶＨＳ方式と８ｍｍ方式のダブルデッキのように、異なるＶＴＲ方式でコピー記録／編集記録を行う場合がある。例えば、アナログ記録方式として、ＶＨＳ方式（又はＳ−ＶＨＳ）又は８ｍｍ（標準又はハイ８）方式記録があり、デジタル記録方式は、Ｄ−ＶＨＳ方式又はデジタルハイ８方式がある。このように異なったＶＴＲ方式で編集記録／コピー記録を行う場合には、下表に示す表４の組合せが考えられる。
【００６３】
【表４】
0004174924.tif 000005
【００６４】
例えば、図６に示すように、ＶＨＳ方式で記録したアナログ記録部Ａ、ＣとＤ−ＶＨＳ方式で記録したデジタル記録部Ｂ、Ｅや無記録部分Ｄ、Ｆが煩雑に混在した磁気テープの編集方法として、従来技術では、図７に示すように、アナログ記録部Ａ、Ｃのみしか記録できない。これに対して、図８に示すように、アナログとデジタルとに振り分けてアナログ記録部分とデジタル記録部分にしたカテゴリーの第１の具体例の編集は、自動的にアナログ記録部Ａ、Ｃは連続してコピー記録し、自動的にデジタル記録部Ｂ、Ｅも連続してコピー記録する。このように編集記録を行うと、仮にＤ−ＶＨＳ対応でない装置でこの磁気テープを再生した場合には、図６に示す磁気テープのように再生される部分と再生されない部分が混交して頻繁に現れることがなくなり見やすくなる。又は、第２の具体例の編集は、図９に示すように、デジタル記録部Ｂ、Ｅの記録順序を変えたものである。第３の具体例の編集は、図１０に示すように、アナログ記録部Ａ、Ｃをデジタル記録部Ｂ、Ｅより後に編集記録したものである。これらの編集記録を行った磁気テープを更に編集記録する場合等は同一記録方式の記録データをまとめてあるため、効率良く作業ができる。又、表示部７０（図１参照）でこれらを表示させることで、再生側磁気テープの記録方式が混在しているか判別できる。そして、混在している場合は、再生側磁気テープ及び記録側磁気テープ共に、どの記録方式がどこの区間に記録時間が何分くらいを占めているか等の情報を容易に知ることができる。
【００６５】
更に、第４の具体例の編集は、図１１に示すように、アナログ記録部Ａ、Ｃとデジタル記録部Ｂ，Ｅの間に無音記録部や所定信号を記録して、例えば、アナログ記録部Ｃの後はデジタル記録方式の記録であることをアナログ記録方式で映像又は音声等により、警告信号のように記録してユーザに知らせるようにする。又、再生側磁気テープの記録されている部分の記録方式を判別して、順序を入替えて編集記録を行うこともできる。
【００６６】
第５の具体例の編集は、図１２に示すように、図８で示したデジタル記録部Ｂ、Ｅの順序を逆にしたものである。第６の具体例の編集は、図１３に示すように、図１０に示すアナログ記録部Ａ、Ｃの順序を逆にしたものである。
【００６７】
このように種々の具体例に示したような編集をすれば、Ｄ−ＶＨＳ方式に対応していない装置で再生している場合に、アナログ記録部Ｃが終了した後にデジタル記録部Ｂ、Ｅが再生されなくても、この警告信号の再生により、突然再生画像や音声が出カされなくなり無記録部分と思って、ユーザが誤って重ね記録することを防止できる。
【００６８】
尚、これらに限らず、他の実施例のアナログ記録部とデジタル記録部の間に記録するようにしても良く、またアナログ記録部とアナログ記録部や、デジタル記録部とデジタル記録部の間にその記録領域の境界であることをユーザに知らせる映像、音声信号を自動的に記録するようにしても良い。このようにすると、各記録部分Ａ、Ｃ、Ｂ、Ｅは一つのプログラム領域として、容易に判別ができるようになる。又、このような領域をリピート再生する場合も操作が行いやすく、効率的な再生が行える。
【００６９】
更に、種々の具体例の内、デジタル記録部のみを抽出して編集するカテゴリーの第７の具体例の編集は、図１４に示すように、再生側磁気テープのデジタル記録部Ｂ、Ｅのみを検出し編集記録するものである。
【００７０】
第８の具体例の編集は、図１５に示すように、図１４に示したデジタル記録部Ｂ、Ｅの順序を変えて編集記録したものである。
【００７１】
第９の具体例の編集は、図１６に示すように、デジタル記録部Ｂ，Ｅの間に所定記録部分の境界であることをユーザに知らせるような識別信号、即ち、映像や音声の信号を自動的に記録するものである。
【００７２】
ここでは、アナログ記録部とデジタル記録部が混在した磁気テープからデジタル記録部だけを検出し編集記録したが、アナログ記録部だけを検出し、上述説明した図１４〜１６に示したものと同様の編集記録を行っても良い。
【００７３】
また、著作権（コピーライト）の問題により、デジタル記録できない場合等における全てをアナログ記録するカテゴリーの第１０の具体例の編集は、、図１７に示すように、磁気テープの所定の部分に記録されている識別信号を検出し、デジタル記録できない場合は自動的に編集記録したデジタル記録部Ｂ、Ｅはアナログ記録にしている。
【００７４】
第１１の具体例の編集は、図１８に示すように、図１７に示すデジタル記録をアナログ記録にしたアナログ記録部Ｂ、Ｅの記録順序を変えて編集記録した場合である。
【００７５】
第１２の具体例の編集は、図１９に示すように、図１７に示すデジタル記録をアナログ記録にしたデジタル記録部Ｂ、Ｅをアナログ記録部Ａ、Ｃより前にすると共にアナログ記録部Ｂを先にして編集記録した場合である。
【００７６】
第１３の具体例の編集は、図２０に示すように、アナログ記録部Ａ、Ｃはそのままコピー記録し、デジタル記録方式による記録に当たるＢ、Ｅをアナログ記録部Ｂ、Ｅにして、アナログ記録部とデジタル記録部に相当する境界のＣの最後とＢの最初の間に、コピーライトによりデジタル記録部Ｂ、Ｅをアナログ記録に変えて編集記録を行ったことを示す警告信号のような識別信号、例えば、映像や音声信号等をアナログ記録方式の記録を行う。
【００７７】
第１４の具体例の編集は、図２１に示すように、図１７に示したアナログ記録部Ａ、Ｃの順序を変えると共に、デジタル記録部に相当するアナログ部Ｂ、Ｅの順序も変えて編集記録したものである。
【００７８】
第１５の具体例の編集は、図２２に示すように、図１９に示すアナログ記録部Ａ、Ｃのデジタル記録方式により記録をアナログ記録方式の記録にしたアナログ記録部Ｂ、Ｅの後に順序を変えて編集記録したものである。
【００７９】
このようにデジタル記録部分をアナログ記録編集することで、編集記録した磁気テープでデジタル記録部がなくなってしまってもユーザが認識できるので管理がしやすい。又、コピーライトを自動判別して、デジタル記録方式により記録ができない場合はデジタル記録部をアナログ記録に変えて編集記録が自動的に行えるので、編集記録が効率よく、かつ、効果的に行うことができる。更に、装着した磁気テープがデジタル記録方式による記録が行えない特性である場合は、再生側でデジタル記録区間が検出された場合に、ユーザに警告をする共に、自動的にすべての区間を、前記で説明した図１７〜図２２のようにアナログ記録方式の記録に変換してコピー記録／編集記録を行うようにしても良い。
【００８０】
［５］動作状態表示方法
次に、本発明の動作状態表示装置における表示方法の一例を、ダブルデッキを備えたＶＴＲを参照して説明する。
【００８１】
動作状態表示装置であるＶＴＲは、図２３に示すように、２個のＶＴＲであるＶＴＲ−Ａ、ＶＴＲ−Ｂを備えた構成となっており、ＶＴＲ−Ａの状態を表示する表示部Ａと、ＶＴＲ−Ｂの状態を表示する表示部Ｂと、両者の動作状態などを表す動作表示部Ｃを有する。尚、図２３は表示系のみをあらわしており、操作ボタン等は省略してある。
【００８２】
図２３に示すＶＴＲにおいて、ＶＴＲ−Ａ及びＶＴＲ−Ｂのカセット挿入口Ａ１、Ｂ１の下側に、それぞれ磁気テープの最大記録時間を表示する動作時間表示部Ａ２、Ｂ２と、この動作時間表示部Ａ２、Ｂ２の下側に磁気テープの動作経過時間に対応する現在の磁気テープ動作位置を表示する動作位置表示部Ａ３、Ｂ３と、この動作位置表示部Ａ３、Ｂ３の下側に、磁気テープの信号属性などを表示する記録信号表示部Ａ４，Ｂ４とを設けた構成となっている。
【００８３】
動作時間表示部Ａ２、Ｂ２には、図３に示すように、磁気テープカセットに設けられた磁気テープ厚みを識別する識別穴等からテープ厚みを検出する、或いは、磁気テープカセット挿入後、テープトップからテープエンドまでを高速でテープ走行させて回転数を計測する等によって最大記録時間が判別され、その最大記録時間から３０分間隔で時間が液晶表示（ＬＣＤ）等に表示する。
【００８４】
動作位置表示部Ａ３、Ｂ３は、磁気テープが走行した時間に応じ、ＬＥＤやＬＣＤ等を点灯させて、その動作経過時間を表示することで現在の磁気テープ動作位置を知ることができる。
【００８５】
記録信号表示部Ａ４，Ｂ４は、例えば、図２３のＢ４拡大図のように、アナログ／デジタル記録方式を判別して点灯又は点滅表示したり、その表示中に記録方式を識別できる表示文字やそのプログラム番号等を表示しても良い。
【００８６】
動作表示部Ｃは、一方を再生側、他方を記録側としてコピー記録や編集記録を行う場合、再生側を点灯表示とし、記録側を点滅表示にするなどにより、表示方法や表示形式を変えて再生／記録の区別を容易に認識できるようにする。また、その際にユーザが設定した記録方法や記録モード等を表示する。
【００８７】
具体的な構成は、記録／再生の文字「ＲＥＣ」、「ＰＢ」を表示する記録再生表示部Ｃ１、Ｃ２と、ＶＴＲ−Ａ及びＶＴＲ−Ｂのどちらかが再生／記録かによるデータの流れ方向を示すデータ表示部Ｃ３と、デジタルとアナログとで色の変化点滅により視認し易くした視認判別表示部Ｃ４と、アナログ記録とデジタル記録とを文字表示（「ＡＮＡＬＯＧ」、「ＤＩＧＩＴＡＬ」）する文字識別表示部Ｃ５と、記録か再生か等の動作モードを表示する動作モード表示部Ｃ６とから構成されている。
【００８８】
このような構成からなる表示系における表示は、例えば、図２３に示すように、ＶＴＲ−Ａが再生側、ＶＴＲ−Ｂが記録側の場合には、記録再生表示部Ｃ１は［ＰＢ］、記録再生表示部Ｃ２は［ＲＥＣ］と表示され、データ表示部Ｃ３の矢印表示はＶＴＲ−Ａ→ＶＴＲ−Ｂ（右向きの矢印）にデータが流れていると表示される。
【００８９】
ここで、ＶＴＲ−ＡとＶＴＲ−Ｂで再生／記録を逆にした時、記録再生表示部Ｃ１は［ＲＥＣ］、記録再生表示部Ｃ２は［ＰＢ］と表示され、データ表示部Ｃ３の矢印表示はＶＴＲ−Ｂ→ＶＴＲ−Ａ（左向きの矢印）にデータが流れていると表示される。
【００９０】
又、ユーザが設定した記録順序を容易に区別できるように、視認判別表示部Ｃ４の各属性部分毎に分割されて表示され、アナログ記録方式を優先記録する場合は視認判別表示部Ｃ４の最左側は、緑色に点灯又は点滅すると共に、その上部の文字識別表示部Ｃ５の左側に文字［ＡＮＡＬＯＧ］を表示する。
【００９１】
視認判別表示部Ｃ４の最右側は、デジタル記録を示す橙色に点灯又は点滅しその上部の文字識別表示部Ｃ５の右側に文字［ＤｌＧｌＴＡＬ］の表示を行う。
【００９２】
このようにして、例えば、コピー、編集元の再生部１０（図１参照）のデジタル記録部は橙色、アナログ記録部は緑色というように表示色を変えるとユーザにとってはわかりやすくなる。同時に、記録側は既にコピー記録、編集記録されたテープの領域を、デジタル記録方式とアナログ記録方式で色を変えて点滅又は点灯させる。又、再生側と記録側で点滅と点灯を変えても良く、この動作例をまとめると下記の表５に示すようになる。
【００９３】
【表５】
0004174924.tif 000006
【００９４】
［６］本発明の第１の変形実施例
上述した実施例においては、例えば、コピーライトが可の場合においてデジタル記録方式による記録、不可の場合はアナログ記録方式による記録を行うようにしたが、ユーザが予めアナログ記録方式による記録に統一させてコピー記録、編集記録するようにしても良い。このようにコピー記録、編集記録しようとする元の磁気テープが記録方式の混在したテープである場合は、図１の判別部１７などにより信号の属性記録方式を判別し、アナログ記録方式に統一させてコピー記録、編集記録を行えば、記録された磁気テープはデジタル再生対応していない一般に普及している従来方式のＶＴＲでも問題なく再生できる。この時、例えば図２３の視認判別表示部Ｃ４の全面が緑色で点滅する等で表示すれば、ユーザがアナログ記録であることを容易に認識できる。このようにアナログ記録方式の記録に統一して編集／コピー記録する場合のＶＴＲ方式は、下記に示す表６、表７のような組合せがある。
【００９５】
【表６】
0004174924.tif 000007
【００９６】
【表７】
0004174924.tif 000008
【００９７】
［７］本発明の第２の変形実施例
第２の変形実施例としては、信号の属性が、再生側、記録側の音声信号のモノラルやステレオといったチャンネル数、デジタル音声信号のサンプリング数、量子化ビット数等が考えられる。例えば、ステレオ音声とアナログ音声信号が混在して記録されている記録媒体をコピー記録／編集記録する場合は、ステレオ音声信号同士、アナログ音声信号同士を所定の区間にまとめて自動的に記録する。このように記録することで、再生時に違和感なく音声出力を楽しむことができ、磁気テープ等の分類、整理、管理等も効率良く行うことができる。以下の表８に示すものは、音声信号チャンネル数によるコピー、編集記録の方式の例であり、再生側の信号属性に基づいて編集、コピー側の信号属性にしている。
【００９８】
【表８】
0004174924.tif 000009
【００９９】
このような信号属性の場合には、図２３に示す文字識別表示部Ｃ５は文字［ＭＯＮＡＵＲＡＬ］表示又は文字［ＳＴＥＲＥＯ］が表示されると共に、視認判別表示部Ｃ４は、モノラルモードで青色、ステレオモードは赤色で点灯又は点滅表示する。
【０１００】
又、音声信号がデジタル音声信号の場合で、サンプリング周波数が例えば、４８ＫＨｚ、３２ＫＨｚが混在している時や、量子化ビット数が１６ビット、１２ビットが混在している時などは、その属性毎にまとめてコピー記録／編集記録を遂行する。このように属性毎にまとめて記録することで、民生用デジタルＶＣＲ規格（ＤＶ規格）のＶＴＲ等に適用した場合に、ＤＶ規格では４８ｋＨｚ、１６ビットでなく、３２ｋＨｚ、１２ビットの音声信号記録では、アフレコ（アフターレコーディング）が行えるので、そのような属性が混在した磁気テープの場合は、コピー記録、編集記録テープは効率よくアフレコを行うことができるのである。
【０１０１】
サンプリング周波数、量子化ビット数等の判別は、記録信号のへッダにおける所定の識別データを、例えば、図１のデジタル再生処理部２０において検出することで容易に行うことができる。これらをまとめると下記に示す表９及び表１０のようになる。
【０１０２】
【表９】
0004174924.tif 000010
【０１０３】
この場合、文字識別表示部Ｃ５は、文字［４８ＫＨｚ］と表示、又は［３２ＫＨｚ］と表示され、視認判別表示部Ｃ４は、例えば、４８ＫＨｚモードで青色、３２ＫＨｚモードで赤色で点灯又は点滅表示する。
【０１０４】
【表１０】
0004174924.tif 000011
【０１０５】
この場合、図２３に示す文字識別表示部Ｃ５は、文字［１６ＢｌＴ］と表示、又は文字［１２ＢｌＴ］と表示され、視認判別表示部Ｃ４は、例えば、１６ビットモードでは青色、１２ビットモードでは赤色で点灯又は点滅表示する。
【０１０６】
［８］本発明の第３の変形実施例
第３の変形実施例として、信号の属性の判別は、例えば、デジタル記録方式による記録の伝送レートを判別してコピー記録、編集記録を遂行することも考えられる。例えば、上記した表２からＤ−ＶＨＳ方式ＶＴＲは伝送レートが複数存在し、それら伝送レートが混在した磁気テープのコピー記録、編集記録を行う場合に、記録側で同じレートの信号を規則正しく所定の区間にまとめて記録することで、後で更に編集を行う場合などでは効率良く作業を行うことができる。伝送レートの検出は、記録データのヘッダの所定位置に記録されている識別データを検出して容易に行うことができる。又、Ｄ−ＶＨＳ方式については、上記の表２に示すように、各記録モードによってテープスピードが異なることから、ＣＴＬ信号を観測することでモード判別ができ、判別結果から記録されているデータのレートを判別することもできる。下記の表１１は伝送レートによるコピー／編集記録方式の例を一覧表示したものである。
【０１０７】
【表１１】
0004174924.tif 000012
【０１０８】
ここで、例えば、ＳＴＤモードとＬＳモードが混在記録されている磁気テープがあった場合に、標準記録モードであるＳＴＤモードに統一して自動的に記録するようにしても良い。このように、統一して自動的にコピー記録、編集記録することで、記録された磁気テープは、ＬＳモードに対応していない装置でも何ら問題なく全ての区間を再生できる。この場合、図２３に示す文字識別表示部Ｃ５は文字［ＨＳ］、［ＳＴＤ］、［ＬＳ２］〜［ＬＳ７］の何れかが表示され、視認判別表示部Ｃ４は、ＨＳモードは赤色、ＳＴＤモードは青色、ＬＳモードは黄色のように点滅又は点灯表示する。
【０１０９】
［９］本発明の第４の変形実施例
第４の変形実施例は、図２４に示すように、コピー記録、編集記録装置等の編集装置１００から、例えば、ＲＳ２３２Ｃ等のケーブル１１０で、その再生及び記録の動作状態を示す信号が出力されている。このケーブルは、例えばパーソナルコンピュータ（以下、ＰＣと云う）等に接続されており、ＰＣ１２０のディスプレイ１３０に前記したようなコピー記録元、編集記録元である再生側の動作状態と、記録側の動作状態を表示させる。又、このＰＣ１２０によりコピー記録、編集記録の動作モードや再生記録の動作制御を行っても良い。
【０１１０】
又、ケーブル１１０はＲＳ２３２Ｃ等以外に、例えば、ＰＣ１２０のプリンタケーブル等が記録再生装置に接続されるようにしても良く、更にＰＣ１２０以外にケーブルからの信号を検出して表示する系であっても良い。
【０１１１】
このようなケーブルからのデータ仕様は、図２５に示すように、「Ｗ０」はＶＴＲ−Ａ、ＶＴＲ−Ｂの情報で何れかのカセットが装着され動作が行えるかを示し、そのカセットはデジタル記録方式による記録が行える特性のものか、又は、そのカセットは何分テープかを表示するモードを設定する。具体的には、ＶＴＲ−Ａの情報は０〜３ビット、ＶＴＲ−Ｂの情報は４〜７ビットを使用して表現し、０ビットと４ビットは磁気テープ動作状態  （０：ＯＫ、１：ＮＧ）、１ビットと５ビットはスペア、２ビットと６ビットは時間表示（０：記録時間表示、１：動作時間表示）、３ビットと７ビットはデジタル記録（０：ＯＫ、１：ＮＧ）を表すようになっている。
【０１１２】
「Ｗ１」はコピー記録、編集記録の動作モードを設定するデータであり、例えば、図６〜図２２の何れかの動作モードで編集記録を行うかを示すものである。
【０１１３】
「Ｗ２」、「Ｗ３」はＶＴＲ−Ａ側の動作時間を示し、「Ｗ４」、「Ｗ５」はＶＴＲ−Ｂ側の動作時間を示す。
【０１１４】
「Ｗ６」は装置のＶＴＲ−Ａ側及びＶＴＲ−Ｂ側のシステムとしての動作状態を示すもので、停止、再生、記録、フォワード走行、バックワード走行などの動作を示す。具体的には、ＶＴＲ−Ａの情報は０〜３ビット、ＶＴＲ−Ｂの情報は４〜７ビットを使用して表現する。即ち、０ビットと４ビットは、”０”で停止、”１”は未使用、１ビットと５ビットは”０”で再生、”１”で録音、２ビットと６ビットは”０”でフォワード、”１”でリワインド、３ビットと７ビットは”０”でテープトップ、”１”でテープエンドであることを示すようにする。
【０１１５】
【発明の効果】
上記説明したように、本願発明の情報信号表示装置は、記録方式等の属性が混在した記録媒体を再生する場合に、今まで再生した信号の属性の過程、例えば、磁気テープ等の記録媒体のどの位置がアナログ記録方式、デジタル記録方式で、又、何分位記録されている0..とか、その記録されているテープが属性の異なる信号が混在しているものであると知ることができ、テープなどの記録媒体の整理や管理が効率よくまた効果的に行うことができる。
【０１１６】
又、上記のような記録方式が混在した記録媒体の信号のコピー記録や編集記録を行う場合に、コピー元の再生側及びコピー記録、編集記録側の再生過程と記録過程を容易に知ることができるので、例えば、記録側でアナログ記録方式とデジタル記録方式の記録区間を分割してコピー記録、編集記録を行う場合などでは、各々の方式の信号が、どの区間にどのくらいの時間記録されているかを容易に知ることができ、例えば、従来方式のアナログ記録方式の信号のみに対応している装置で再生する場合などの時に、どのくらいの時間再生を楽しむことができるか等も容易に知ることができ、再生を効率良く行うことができる。
【０１１７】
更に、以上のように記録方式が混在した記録媒体を容易に扱うことができるようになると、装置の動作状態を効果的にモニタすることができ、装置の操作や動作過程を楽しむこともできると共に記録媒体の管理や整理が行いやすくなる。
【図面の簡単な説明】
【図１】本発明に係る動作状態表示装置のブロック図である。
【図２】同動作状態表示装置のフローチャートである。
【図３】同動作状態表示装置に使用するテープの概念図である。
【図４】同動作状態表示装置における再生信号のパワースペクトル概念図である。
【図５】同動作状態表示装置の判別部を示したブロック図である。
【図６】記録方式が混在して記録されているテープの概念図である。
【図７】図６における記録方式が混在しているテープを従来方式で編集記録した概念図である。
【図８】図６における記録方式が混在して記録しているテープを編集記録した第１の具体例である。
【図９】図６における記録方式が混在して記録しているテープを編集記録した第２の具体例である。
【図１０】図６における記録方式が混在して記録しているテープを編集記録した第３の具体例である。
【図１１】図６における記録方式が混在して記録しているテープを編集記録した第４の具体例である。
【図１２】図６における記録方式が混在して記録しているテープを編集記録した第５の具体例である。
【図１３】図６における記録方式が混在して記録しているテープを編集記録した第６の具体例である。
【図１４】図６における記録方式が混在して記録しているテープを編集記録した第７の具体例である。
【図１５】図６における記録方式が混在して記録しているテープを編集記録した第８の具体例である。
【図１６】図６における記録方式が混在して記録しているテープを編集記録した第９の具体例である。
【図１７】図６における記録方式が混在して記録しているテープを編集記録した第１０の具体例である。
【図１８】図６における記録方式が混在して記録しているテープを編集記録した第１１の具体例である。
【図１９】図６における記録方式が混在して記録しているテープを編集記録した第１２の具体例である。
【図２０】図６における記録方式が混在して記録しているテープを編集記録した第１３の具体例である。
【図２１】図６における記録方式が混在して記録しているテープを編集記録した第１４の具体例である。
【図２２】図６における記録方式が混在して記録しているテープを編集記録した第１５の具体例である。
【図２３】本発明に係る動作状態表示装置の表示パネル部分を示した説明図である。
【図２４】本発明に係る動作状態表示装置の変形例を略示的に示した説明図である。
【図２５】図２４に示す変形例の装置に使用されるデータ仕様の一例を示したものである。
【符号の説明】
１０；再生部、１１；カセット検出部、１２；リールモータ部、１３；キャプスタン部、１４；ＣＴＬ部、１５；再生側テープ／ヘッド部、１６；再生アンプ部、１７；判定部、１８；切換ＳＷ、１９；アナログ再生処理部、２０；デジタル再生処理部、３０；ユーザ入力部、４０；システムコントロール部、５１；切換ＳＷ換、５２；切換ＳＷ、６０；警告部、７０；表示部、８０；記録部、８１；アナログ記録処理部、８２；デジタル記録処理部、８３；切換ＳＷ、８４；記録アンプ部、８５；記録側テープ／ヘッド部、８６；カセット検出部、８７；リールモータ部、８８；キャプスタン部、Ａ１；カセット挿入口、Ａ２；動作時間表示部、Ａ３；動作位置表示部、Ｂ１；カセット挿入口、Ｂ２；動作時間表示部、Ｂ３；動作位置表示部、Ａ４；記録信号表示部、Ｂ４；記録信号表示部、Ｃ１；記録再生表示部、Ｃ２；記録再生表示部、Ｃ３；データ表示部、Ｃ４；視認判定表示部、Ｃ５；文字識別表示部、Ｃ６；動作モード表示部、１００；編集装置、１１０；ケーブル、１２０；パーソナルコンピュータ（ＰＣ）、１３０；ディスプレイ
【図１】
0004174924.tif 000013
【図２】
0004174924.tif 000014
【図３】
0004174924.tif 000015
【図４】
0004174924.tif 000016
【図５】
0004174924.tif 000017
【図６】
0004174924.tif 000018
【図７】
0004174924.tif 000019
【図８】
0004174924.tif 000020
【図９】
0004174924.tif 000021
【図１０】
0004174924.tif 000022
【図１１】
0004174924.tif 000023
【図１２】
0004174924.tif 000024
【図１３】
0004174924.tif 000025
【図１４】
0004174924.tif 000026
【図１５】
0004174924.tif 000027
【図１６】
0004174924.tif 000028
【図１７】
0004174924.tif 000029
【図１８】
0004174924.tif 000030
【図１９】
0004174924.tif 000031
【図２０】
0004174924.tif 000032
【図２１】
0004174924.tif 000033
【図２２】
0004174924.tif 000034
【図２３】
0004174924.tif 000035
【図２４】
0004174924.tif 000036
【図２５】
0004174924.tif 000037